(57)【特許請求の範囲】
【請求項１】
物品移送手段によって移送されてきた物品を整列させるための、物品の進行方向に沿って並列して配置された複数のガイドプレートを具え、これらガイドプレートは物品の進行方向と直交する方向には移動可能であるが上下方向には移動不能に構成され、各ガイドプレート間の間隔が調整されるようになっている物品の整列ガイド装置において、
前記ガイドプレートと直交する複数の連結部材がそれぞれ両端部に配した連結枢軸によって隣接する一方の連結部材の一端部と他方の連結部材の他端部が重合するように連結されて連続した連結部材列が設けられ、この連結部材列の隣接する一方の連結部材の一端部に配した連結枢軸は、同連結部材に不動に設けられているとともに、他方の連結部材の他端部の長手方向に設けた長孔に摺嵌し、かつ一方の連結部材の他端部に配した連結枢軸は、同連結部材の長手方向に設けた長孔に摺嵌するとともに、他方の連結部材に不動に設けられており、ガイドプレートは前記連結枢軸に取付けられ、各連結枢軸はガイドプレートと直交する方向に移動可能に支持されており、前記連結部材列の先端を機枠に固定するとともに、後端に作動部材を連結し、この作動部材の作動によって連結枢軸を連結部材の長孔の一端側に移動して当接させることによって、各ガイドプレート間の間隔を狭い間隔に調整させる一方、連結枢軸を長孔の他端側に移動して当接させることによって、各ガイドプレート間の間隔を広い間隔に調整させ、前記間隔の列数を１列増減させるようになっていることを特徴とする物品の整列ガイド装置。
【発明の詳細な説明】
【０００１】
【発明の属する技術分野】
この発明は、物品移送手段によって移送されてきた物品を整列させるための物品の整列ガイド装置に関する。
【０００２】
【従来の技術】
従来ビール工場等において、ビールが充填されたビール壜をコンベア等の物品移送手段によって移送し、この物品移送手段と交差する方向に、これまたコンベア等の容器移送手段によって移送されてくるケーサ等の容器に、収納することが通常行われている。そのためこの発明についての以下の説明は、このような場合を参照して行うこととするが、処理される物品はこれに限るものでない。
【０００３】
前記のような従来のビール壜の容器への収納の際には、物品移送手段によって移送されてきたビール壜を整列させて容器に収納させるために、ビール壜の進行方向に沿って配置された複数のガイドプレートが設けられている。そしてこのガイドプレートによって案内されて所定列数と列幅となっている一群のビール壜が、その上方に位置する把持部材によって把持されて、上動されたうえ容器の上方まで横移動され、そこで下動されて容器に収納されることとなる。
【０００４】
この際ビール壜には種類の異なる大小のサイズの壜があるため、そのサイズの異なる毎に各ガイドプレート間の間隔を変更しなければならず、そのためにガイドプレートを幅方向に移動可能としておいて、必要時に作業員が適応するスペーサを選択して、ガイドプレート間に挿入するという人手によるスペーサの型替え作業を行っていた。
【０００５】
【発明が解決しようとする課題】
従来の物品の整列ガイド装置は、このように壜種の変更のたびに、作業員が前記のようにいちいちガイドプレート間のスペーサの型替えを行わなければならず、作業員の手作業による手間を必要とし、この際型替えされるスペーサの数が多いこともあって、長い作業時間による壜収納工程の中断を招き、その能率を低下させるという問題がある。
【０００６】
そこでこの発明の目的は、前記のような従来の物品の整列ガイド装置のもつ問題を解消し、作業員がいちいちガイドプレート間のスペーサの型替えを行う必要がなくて、物品の整列ガイドを短時間で手際良く行うことができて、壜収納の効率を低下させることのない物品の整列ガイド装置を提供するにある。
【０００７】
【課題を解決するための手段】
前記目的を達成するために、この発明は、物品移送手段によって移送されてきた物品を整列させるための、物品の進行方向に沿って並列して配置された複数のガイドプレートを具え、これらガイドプレートは物品の進行方向と直交する方向には移動可能であるが上下方向には移動不能に構成され、各ガイドプレート間の間隔が調整されるようになっている物品の整列ガイド装置において、前記ガイドプレートと直交する複数の連結部材がそれぞれ両端部に配した連結枢軸によって隣接する一方の連結部材の一端部と他方の連結部材の他端部が重合するように連結されて連続した連結部材列が設けられ、この連結部材列の隣接する一方の連結部材の一端部に配した連結枢軸は、同連結部材に不動に設けられているとともに、他方の連結部材の他端部の長手方向に設けた長孔に摺嵌し、かつ一方の連結部材の他端部に配した連結枢軸は、同連結部材の長手方向に設けた長孔に摺嵌するとともに、他方の連結部材に不動に設けられており、ガイドプレートは前記連結枢軸に取付けられ、各連結枢軸はガイドプレートと直交する方向に移動可能に支持されており、前記連結部材列の先端を機枠に固定するとともに、後端に作動部材を連結し、この作動部材の作動によって連結枢軸を連結部材の長孔の一端側に移動して当接させることによって、各ガイドプレート間の間隔を狭い間隔に調整させる一方、連結枢軸を長孔の他端側に移動して当接させることによって、各ガイドプレート間の間隔を広い間隔に調整させ、前記間隔の列数を１列増減させるようになっていることを特徴とする。
【００１１】
【発明の実施の形態】
図面に示すこの発明の実施形態は、コンベアベルトからなる物品移送手段１によって移送されてきたビール壜からなる物品２を６列と５列とに切換え可能となっているが、この列数はこれに限定されるものではない。この実施形態において、物品２の進行方向に沿って、物品移送手段１の上方に複数のガイドプレート３を配置し、この各ガイドプレート３と直交する複数の連結部材４が、連結枢軸６によって連続した連結部材列７が設けられ、この連結部材列７はその一端は機枠５に固定され、他端側は機枠５’に移動可能に支持され、この他端は図示を省略した機枠に取付けられた作動シリンダからなる作動部材８に連結されている。10は移送されてきた物品２を停止させる停止板を示す。なお図１において、21は容器搬送手段、22は容器を、また図２において23は容器把持部材を示す。
【００１２】
そして連結部材列７の作動部材８に連結されている連結部材４−１の両端の連結枢軸６−１，２は、連結部材４−１の固定位置に取付けられ、一方の連結枢軸６−２は隣接する連結部材４−２の一端に長手方向に設けられた長孔９−１に摺嵌している。連結部材４−２の他端の固定位置に取付けられた、連結枢軸６−３は、連結部材４−３の一端に長手方向に設けられた長孔９−２に摺嵌している。連結部材４−３の他端の固定位置に取付けられた、連結枢軸６−４は、連結部材４−４の一端に長手方向に設けられた長孔９−３に摺嵌している。連結部材４−４の他端の固定位置に取付けられた、連結枢軸６−５は、連結部材４−５の一端に長手方向に設けられた長孔９−４に摺嵌している。連結部材４−５の他端の固定位置に取付けられた、連結枢軸６−６は、機枠５に固定されている連結部材４−６の一端に長手方向に設けられた長孔９−５に摺嵌している。
【００１３】
図１〜３には物品を６列整列させる場合の作動が示されており、この場合には作動部材８を図２，３に示すように、その作動杆11を突き出すように作動させ、これによって各連結枢軸６−２〜６が右方に移動して、それが摺嵌している長孔９−１〜５の機枠５側の終端部に当接し、これによって各連結枢軸６−２〜６に取付けられた各ガイドプレート３間の間隔を、６列の物品２の差し渡しに対応した狭い間隔とする。
【００１４】
図４には物品を５列整列させる場合の作動が示されており、この場合には作動部材８を図４に示すように、その作動杆11を引っ込めるように作動させ、これによって各連結枢軸６−２〜６が左方に移動して、それが摺嵌している長孔９−１〜５の作動部材８側の終端部に当接し、これによって各連結枢軸６−２〜６に取付けられた各ガイドプレート３間の間隔を、５列の物品２の差し渡しに対応した広い間隔とするとともに、間隔の列数を６列から５列に減少させることとなる。このような５列の間隔の列数は、前記６列整列の場合のように作動部材８を作動させることによって、自動的に６列に増加することになる。
【００１５】
【発明の効果】
この発明は前記のようであって、前記ガイドプレートと直交する複数の連結部材がそれぞれ両端部に配した連結枢軸によって隣接する一方の連結部材の一端部と他方の連結部材の他端部が重合するように連結されて連続した連結部材列が設けられ、この連結部材列の隣接する一方の連結部材の一端部に配した連結枢軸は、同連結部材に不動に設けられているとともに、他方の連結部材の他端部の長手方向に設けた長孔に摺嵌し、かつ一方の連結部材の他端部に配した連結枢軸は、同連結部材の長手方向に設けた長孔に摺嵌するとともに、他方の連結部材に不動に設けられており、ガイドプレートは前記連結枢軸に取付けられ、各連結枢軸はガイドプレートと直交する方向に移動可能に支持されており、前記連結部材列の先端を機枠に固定するとともに、後端に作動部材を連結し、この作動部材の作動によって連結枢軸を連結部材の長孔の一端側に移動して当接させることによって、各ガイドプレート間の間隔を狭い間隔に調整させる一方、連結枢軸を長孔の他端側に移動して当接させることによって、各ガイドプレート間の間隔を広い間隔に調整させ、前記間隔の列数を１列増減させるようになっているので、各ガイドプレート間の間隔及び間隔の列数を調整するに際して、作業員がいちいちガイドプレート間のスペーサの型替えを行う必要がなくて、物品の整列ガイドを短時間で手際良く行うことができて、物品収納効率を低下させることがないという効果がある。
【図面の簡単な説明】
【図１】  この発明の実施形態の一部切欠平面図である。
【図２】  同上の６列整列時の要部の正面図である。
【図３】  同上の平面図である。
【図４】  同上の５列整列時の図３と同様の平面図である。
【符号の説明】
１  物品移送手段                ２  物品
３  ガイドプレート              ４  連結部材
５，５’  機枠                  ６  連結枢軸
７  連結部材列                  ８  作動部材
９  長孔                        10  停止板
11  作動杆
【図１】
0004020474.tif 000002
【図２】
0004020474.tif 000003
【図３】
0004020474.tif 000004
【図４】
0004020474.tif 000005